(57)【要約】【課題】  意匠性に優れ、水垂れを防止し外観を向上させることができる窓枠部構造を提供すること。【解決手段】  サッシを壁面開口に嵌め込んで配設する窓枠部構造１であって、サッシ下枠２の下端と窓下の外壁５の上端との間に設けられた第一の水切り材４と、サッシ下枠２の屋外側から第一の水切り材４の下端４３を覆う形状の第二の水切り材３とが設けられ、第二の水切り材３には第一の水切り材４からの流水を受ける下板３６があり、下板３６には水抜き用の穴１１が設けられ、サッシ下部と第一の水切り材４と第二の水切り材３で囲まれた空間の開放端となる第二の水切り材３端部の開放部には側方への水の流出を防ぐキャップ１０が取り付けられている。【選択図】        図１
2006152624.tif 000002
【特許請求の範囲】
【請求項１】
サッシを壁面開口に嵌め込んで配設する窓枠部構造であって、サッシ下枠の下端と窓下の外壁の上端との間に設けられた第一の水切り材と、サッシ下枠の屋外側から第一の水切り材の下端を覆う形状の第二の水切り材とが設けられ、第二の水切り材には第一の水切り材からの流水を受ける下板があり、下板には水抜き用の穴が設けられ、サッシ下部と第一の水切り材と第二の水切り材で囲まれた空間の開放端となる第二の水切り材端部の開放部には側方への水の流出を防ぐキャップが取り付けられていることを特徴とする窓枠部構造。
【請求項２】
請求項１記載の窓枠部構造で、サッシ下枠の屋外側が、第二の水切り材の縁端部に設けられた嵌合部と嵌合できる形状になされていることを特徴とする窓枠部構造。
【請求項３】
請求項１記載の窓枠部構造で、サッシ下枠の屋外側に、第二の水切り材の縁端部に設けられた嵌合部と嵌合できる形状の水切り受け金具が設けられていることを特徴とする窓枠部構造。
【発明の詳細な説明】
【技術分野】
【０００１】
本発明は、窓枠部を防水するために設けられた水切り材の端部から窓下の外壁に雨水等の水垂れを防止する窓枠部構造に関する。
【背景技術】
【０００２】
従来、特許文献１に水密性の優れた水切り材とそれを用いた窓上又は窓下の防水構造が記載されている。この水切り材と防水構造は、窓枠と外壁との間に配置される水切り材と水密材とを具備したものである。
また、特許文献２にビル等の建物に設けられる窓を形成するサッシ用窓枠が記載されている。このサッシ用窓枠は雨が降った場合でも、窓水切を伝って流れる雨水が下部側の外壁面に流れ落ちないように、窓水切りを伝って流れる雨水等を受ける樋と、この樋内に溜まった水を排水する排水パイプとが設けられたものである。
【特許文献１】特開２００１−７３４３６号公報
【特許文献２】実公平７−４３１５号公報
【発明の開示】
【発明が解決しようとする課題】
【０００３】
しかしながら、上記特許文献１記載の水切り材にあっては、水切り材端部より窓下の外壁に雨水等の水垂れが生じ、外壁の汚れの原因となりやすい。また、窓下の水切り材の出寸法が不足する場合も水垂れ汚れの原因となる。また、特許文献２記載の窓水切りの先端部に樋を設ける方法は材料を多く必要とし、成形も難しく、更に外観を損ねるという問題があった。
【０００４】
本発明は、このような従来の水切り材端部からの水垂れによる外壁の汚れの問題点に着目してなされたものであり、その目的とするところは、従来の問題点を解決し、意匠性に優れ、水垂れを防止し外観を向上させることができる窓枠部構造を提供することにある。
【課題を解決するための手段】
【０００５】
請求項１記載の発明は、サッシを壁面開口に嵌め込んで配設する窓枠部構造であって、サッシ下枠の下端と窓下の外壁の上端との間に設けられた第一の水切り材と、サッシ下枠の屋外側から第一の水切り材の下端を覆う形状の第二の水切り材とが設けられ、第二の水切り材には第一の水切り材からの流水を受ける下板があり、下板には水抜き用の穴が設けられ、サッシ下部と第一の水切り材と第二の水切り材で囲まれた空間の開放端となる第二の水切り材端部の開放部には側方への水の流出を防ぐキャップが取り付けられていることを特徴とする窓枠部構造である。
【０００６】
請求項２記載の発明は、請求項１記載の窓枠部構造で、サッシ下枠の屋外側が、第二の水切り材の縁端部に設けられた嵌合部と嵌合できる形状になされていることを特徴とする窓枠部構造である。
【０００７】
請求項３記載の発明は、請求項１記載の窓枠部構造で、サッシ下枠の屋外側が、第二の水切り材の縁端部に設けられた嵌合部と嵌合できる形状の水切り受け金具が設けられていることを特徴とする窓枠部構造である。
【発明の効果】
【０００８】
請求項１記載の本発明によると、サッシ下枠の下端と窓下外壁の上端との間に設けられた第一の水切り材と、サッシ下枠の屋外側から第一の水切り材の下端を覆う形状の第二の水切り材が設けられ、第二の水切り材には第一の水切り材からの流水を受ける下板があり、下板には水抜き用の穴が設けられているので、サッシ枠を伝ってサッシ下枠に浸入した雨水を第一の水切り材で受け、第二の水切り材に設けられた下板で第一の水切り材からの流水を受け、下板に設けられた水抜き用の穴から排出する構造になされているから、第一の水切り材端部から窓下の外壁への雨水の水垂れを防止すると共に、第二の水切り材に溜まった雨水を外壁に水垂れを生じることなく排水することができる。また、第二の水切り材端部の開放部には側方への水の流出を防ぐキャップが取り付けられているので、窓枠端部の外壁への水垂れをも防止することができる。また、サッシ下枠部と水切り部とが一体化しすっきりとした外観が得られる。
【０００９】
請求項２記載の本発明によると、請求項１記載の窓枠部構造で、サッシ下枠の屋外側が、第二の水切り材の縁端部に設けられた嵌合部と嵌合できる形状になされているので、サッシ下枠に第二の水切り材を嵌合するだけで簡単に取り付けることができ、作業性に優れている。
【００１０】
請求項３記載の本発明によると、請求項１記載の窓枠部構造で、サッシ下枠の屋外側が、第二の水切り材の縁端部に設けられた嵌合部と嵌合できる形状の水切り受け金具が設けられているので、サッシ下枠に第二の水切り材を嵌合するだけで簡単に取り付けることができ、作業性に優れている。
【発明を実施するための最良の形態】
【００１１】
（実施の形態１）
次に、本発明の実施の形態を図面を参照しながら説明する。
図１と図２は本発明の一実施形態であって、図１はサッシ下枠に水切り材の縁端部に設けられた嵌合部を嵌合できる形状の突起が設けられた窓枠部構造の要部を示す断面図、図２は要部の斜視図である。
【００１２】
本実施の形態１においては、図１に示すように、窓下側の窓枠１のサッシ下枠２の下に第一の水切り材４があり、これの外側に第二の水切り材がある。サッシ下枠２の屋外側に突起２１，２２が設けられている。第二の水切り材３は傾斜部３３と水平部３５と下板３６とから略「ヨ」の字状に形成されてなる。傾斜部３３は下延部３４の上端から上方に傾斜してサッシ下枠２に向いて形成されている。水平部３５は下延部３４の高さで略中央部からサッシ下枠２に向かって突出して形成されている。下板３６は下延部３４の下部から上方に傾斜して窓下の外壁５に向いて形成されている。傾斜部３３の端部にはサッシ下枠２に設けられた突起２１と嵌合できる形状の嵌合部３１を有する。水平部３５の端部には、サッシ下枠２に設けられた突起２２と嵌合できる形状の嵌合部３２を有する。下板３６は下延部３４の下部から上方に傾斜して窓下の外壁５に向いて形成され、その上端部３７は第一の水切り材４の下延部４３を屋内側から上方に覆う形状になされている。
【００１３】
第一の水切り材４は外壁材５の上端部５１とサッシ下枠２との間に配置され、屋外方向に下り勾配にされた傾斜部４２と、この傾斜部４２の屋外側端部から下方に延びる下延部４３と、傾斜部４２の屋内側端部から外壁５の裏面側でサッシ下枠２に沿って上方に延びる上延部４１とからなる。
そして、サッシ下枠２と第一の水切り材４はビス７によりまぐさ６に固定されている。
また、第一の水切り材４の傾斜部４２とサッシ下枠２との間には水密材１２により水密になされている。
【００１４】
また、図２に示すように、窓枠１の端部にはサッシ下枠２の周辺部及び水密材１２を除く第二の水切り材３と第一の水切り材４で囲まれた空間の開放端となる第二の水切り材端部の開放部には側方への水の流出を防ぐキャップ１０が取り付けられている。
また、第二の水切り材３の下板３６には下板３６に受けた流水を排出するための水抜き用の複数の水抜き穴１１，１１・・が設けられている。
【００１５】
本実施の形態１の窓枠部構造によると、以下の作用効果を奏する。
（１）第二の水切り材３は第一の水切り材４の下延部４３を第二の水切り材３の端部３７と下延部３４と接合された下板３６により、第一の水切り材４の下延部４３からの雨水を受け止めて水垂れを防止し、第二の水切り材３の下板３６に集まった雨水は下板３６に設けられた複数の水抜き穴１１，１１により排水される。この水抜き穴１１，１１の位置は外壁５から離れており、外壁５に直接雨水等の水垂れが生じることが無く、外壁５への汚れを防止することができる。
また、第二の水切り材３から流れ落ちる雨水は第二の水切り材３の下延部３４の先端部３８から落下するので外壁５から離れており、外壁５へ直接雨水等の水垂れが生じることが無く、外壁５への汚れを防止することができる。
【００１６】
（２）窓枠１の端部にはサッシ下枠２の周辺部を除く第二の水切り材３と第一の水切り材４で囲まれた空間の開放端となる第二の水切り材３端部の開放部に、側方への水の流出を防ぐキャップ１０が取り付けられているので、窓枠１の端部の外壁５への水垂れを防止することができる。
【００１７】
（３）サッシ下枠２と第二の水切り材３とは一体化されておりすっきりとした外観であり、意匠性にも優れる。
【００１８】
（４）サッシ下枠２の屋外側に第二の水切り材３の縁端部に設けられた嵌合部と嵌合できる形状の突起２１，２２が設けられているのでサッシ下枠２に簡単に第二の水切り材３を取り付けることができ、作業性に優れている。
【００１９】
（実施の形態２）
図３は本発明の別の実施形態であって、図３はサッシ下枠に水切り材の縁端部に設けられた嵌合部を嵌合できる形状の水切り受け金具を設けた窓枠部構造の要部を示す断面図である。以下の実施の形態において、前記実施の形態と同じものには同符号をつけて説明を省略し、異なるものだけ別符号を付けて説明する。
【００２０】
図３に示すように、窓下側の窓枠１Ｂのサッシ下枠２Ｂの下に第一の水切り材４があり、これの外側に第二の水切り材３がある。サッシ下枠２Ｂの屋外側に突起８１，８２が設けられた水切り受け金具８がビス９によりサッシ下枠２Ｂに取り付けられている。第二の水切り材３は傾斜部３３と水平部３５と下板３６とから略「ヨ」の字状に形成されてなる。傾斜部３３は下延部３４の上端から上方に傾斜してサッシ下枠２に向いて形成されている。水平部３５は下延部３４の高さで略中央部からサッシ下枠２に向かって突出して形成されている。下板３６は下延部３４の下部から上方に傾斜して窓下の外壁５に向いて形成されている。傾斜部３３の端部にはサッシ下枠２Ｂに設けられた突起８１と嵌合できる形状の嵌合部３１を有する。水平部３５の端部には、サッシ下枠２Ｂに設けられた突起８２と嵌合できる形状の嵌合部３２を有する。下板３６は下延部３４の下部から上方に傾斜して窓下の外壁５に向いて形成され、その上端部３７は第一の水切り材４の下延部４３を屋内側から上方に覆う形状になされている。
第一の水切り材４の取付構造は実施の形態１と同様であるので説明を省略する。
【００２１】
また、図２と同様に、窓枠１Ｂの端部にはサッシ下枠２Ｂの周辺部及び水密材１２を除く第二の水切り材３と第一の水切り材４で囲まれた空間の開放端となる第二の水切り材端部の開放部には側方への水の流出を防ぐキャップ１０が取り付けられている。
また、図２と同様に、第二の水切り材３の下板３６には下板３６に受けた流水を排出するための水抜き用の複数の水抜き穴１１，１１・・が設けられている。
【００２２】
本実施の形態２の窓枠部構造によると、実施の形態１と同様に以下の作用効果を奏する。
（１）実施の形態１の作用効果に記載した（１）〜（３）と同様の作用効果を奏する。
（２）サッシ下枠２Ｂの屋外側に第二の水切り材３の縁端部に設けられた嵌合部３１，３２を嵌合できる形状の突起８１，８２が設けられた水切り受け金具８によりサッシ下枠２Ｂに簡単に第二の水切り材３を取り付けることができ、作業性に優れている。
【００２３】
以上、本発明の実施の形態を図面により詳述したが、本発明の具体的な構成はこの実施の形態に限られるものではなく、本発明の要旨を逸脱しない範囲の設計の変更等があっても本発明に含まれる。
【産業上の利用可能性】
【００２４】
本発明の窓枠部構造を有するサッシの窓枠を設置することにより、外壁へ雨水等による水垂れによる汚れを防止することができ、外壁の汚れによる塗り直し等のメンテナンス費用が低減されるだけでなく、従来から用いられている窓枠部に設けられた第一の水切り材に第二の水切り材を後付けで取り付けることも可能であり、そのことにより外壁への雨水等による水垂れによる汚れを防止することができ、メンテナンス費用の低減を図ることもできる。
【図面の簡単な説明】
【００２５】
【図１】本発明の一実施形態であって、サッシ下枠に水切り材の縁端部に設けられた嵌合部を嵌合できる形状の突起を有する窓枠部構造の要部を示す断面図である。
【図２】要部の斜視図である。
【図３】本発明の別の実施形態であって、サッシ下枠に水切り材の縁端部に設けられた嵌合部を嵌合できる形状の水切り受け金具が設けられた窓枠部構造の要部を示す断面図である。
【符号の説明】
【００２６】
１、１Ｂ              窓枠
２，２Ｂ              サッシ下枠
２１，２２            突起
３                    第二の水切り材
４                    第一の水切り材
５                    外壁
６                    まぐさ
７                    ビス
８                    固定する金具
８１，８２            突起
９                    ビス
１０                  キャップ
１１                  水抜き穴
【図１】
2006152624.tif 000003
【図２】
2006152624.tif 000004
【図３】
2006152624.tif 000005